(57)【要約】【課題】端子付電線において、圧着端子の被覆圧着部が、電線に加わる応力に起因して電線の絶縁被覆から外れることを防止すること。【解決手段】端子付電線１は、電線９とその電線９の端部に取り付けられた圧着端子１０を備える。圧着端子１０は、電線９の端部における絶縁被覆９２に圧着された被覆圧着部２０、及び電線９の端部における絶縁被覆９２から伸び出た芯線９１に圧着された芯線圧着部４０を有する。被覆圧着部２０は、絶縁被覆９２を一方から支える底板部２１と、電線９の長手方向において間隔を空けて並んで形成され、底板部２１に対向する状態で絶縁被覆９２に対してかしめられた３つ以上のかしめ部２２１，２３２，２２３を有する。【選択図】図１
2012119186.tif 000002
【特許請求の範囲】
【請求項１】
電線と、
前記電線の端部に取り付けられ、前記電線の端部における絶縁被覆に圧着された被覆圧着部及び前記電線の端部における前記絶縁被覆から伸び出た芯線に圧着された芯線圧着部を有する圧着端子と、を備えた端子付電線であって、
前記圧着端子の前記被覆圧着部は、
前記絶縁被覆を一方から支える底板部と、
前記電線の長手方向において間隔を空けて並んで形成され、前記底板部に対向する状態で前記絶縁被覆に対してかしめられた３つ以上のかしめ部と、を有することを特徴とする端子付電線。
【請求項２】
電線の端部における絶縁被覆の部分が挿入される溝を形成する板状の部材からなり、折り曲げられることによって前記絶縁被覆に圧着される被覆圧着部と、
前記電線の端部における前記絶縁被覆から伸び出た芯線に圧着される芯線圧着部と、を備える圧着端子であって、
前記被覆圧着部は、
前記溝の底を形成する底板部と、
前記底板部から起立して形成された起立部と、を有し、
前記起立部における先端側の一部の範囲を占める部分に、前記溝の内側へ曲げられることによって前記底板部に対向する状態で前記被覆圧着部及び前記芯線圧着部の配列方向において間隔を空けて並ぶ３つ以上のかしめ部が形成されていることを特徴とする圧着端子。
【発明の詳細な説明】
【技術分野】
【０００１】
本発明は、電線の端部に取り付けられる圧着端子、及び電線と圧着端子とを含む端子付電線に関する。
【背景技術】
【０００２】
一般に、ワイヤハーネスにおける電線の端部には、金属製の圧着端子が取り付けられる。また、圧着端子としては、特許文献１に示されるように絶縁被覆を押さえる部分を有する圧着端子と、絶縁被覆を押さえる部分がない圧着端子とが存在する。
【０００３】
絶縁被覆を押さえる部分を有する圧着端子は、電線の端部における被覆に圧着される被覆圧着部と、電線の端部における被覆から伸び出た芯線に圧着される芯線圧着部と、相手側の端子と嵌り合うことによって相手側の端子に接続される端子接続部とを有している。そして、被覆圧着部及び芯線圧着部の各々の一部が折り曲げられて絶縁被覆に対してかしめられることにより、被覆圧着部が電線の絶縁被覆を把持し、芯線圧着部が電線の芯線を把持する。その結果、圧着端子は、電線の端部に固定される。
【０００４】
特許文献１に示される圧着端子においては、電線の絶縁被覆に対してかしめられるかしめ部は、電線の長手方向における１箇所の領域にのみ設けられている。
【０００５】
圧着端子において、被覆圧着部は、圧着端子を電線に強固に保持する役割を担い、芯線圧着部は、主として圧着端子と電線の芯線とを電気的に接続する役割を担う。また、電線の絶縁被覆に圧着された被覆圧着部において、絶縁被覆に対してかしめられたかしめ部のエッジ部分が、主として絶縁被覆に対する滑りを抑制する機能を果たす。なお、被覆圧着部、芯線圧着部及び端子接続部は、それぞれインシュレーションバレル、ワイヤバレル及びコンタクトと称される。
【先行技術文献】
【特許文献】
【０００６】
【特許文献１】特開２００９−１５１９４１号公報
【発明の概要】
【発明が解決しようとする課題】
【０００７】
しかしながら、従来の圧着端子における被覆圧着部と電線の絶縁被覆との間の摩擦抵抗は比較的小さく、また、電線の絶縁被覆は柔軟性を有する。そのため、従来の端子付電線は、被覆圧着部が電線の絶縁被覆を保持する性能が十分に高いとはいえない。即ち、従来の端子付電線は、圧着端子の部分が固定された状態で引っ張り応力又は曲げ応力が繰り返し加わった場合に、被覆圧着部が電線の絶縁被覆から外れるという問題点を有している。
【０００８】
本発明の目的は、端子付電線において、圧着端子の被覆圧着部が、電線に加わる応力に起因して電線の絶縁被覆から外れることを防止することである。
【課題を解決するための手段】
【０００９】
本発明に係る端子付電線は、電線とその電線の端部に取り付けられた圧着端子を備える。その圧着端子は、電線の端部における絶縁被覆に圧着された被覆圧着部及び電線の端部における絶縁被覆から伸び出た芯線に圧着された芯線圧着部を有する。さらに、本発明に係る端子付電線において、圧着端子の被覆圧着部は、絶縁被覆を一方から支える底板部と、電線の長手方向において間隔を空けて並んで形成され、底板部に対向する状態で絶縁被覆に対してかしめられた３つ以上のかしめ部と、を有する。
【００１０】
また、本発明は、電線の端部に取り付けられる圧着端子の発明として捉えられることもできる。即ち、本発明に係る圧着端子は、電線の端部における絶縁被覆に圧着される被覆圧着部と、電線の端部における絶縁被覆から伸び出た芯線に圧着される芯線圧着部と、を備える。また、被覆圧着部は、電線の端部における絶縁被覆の部分が挿入される溝を形成する板状の部材からなり、折り曲げられることによって絶縁被覆に圧着される。さらに、被覆圧着部は、溝の底を形成する底板部と、底板部から起立して形成された起立部と、を有する。さらに、本発明に係る圧着端子において、起立部における先端側の一部の範囲を占める部分に、溝の内側へ曲げられることによって底板部に対向する状態で被覆圧着部及び芯線圧着部の配列方向において間隔を空けて並ぶ３つ以上のかしめ部が形成されている。なお、被覆圧着部及び芯線圧着部の配列方向は、圧着端子が取り付けられる電線の長手方向である。
【発明の効果】
【００１１】
本発明においては、圧着端子の被覆圧着部は、柔軟性を有する絶縁被覆に対し、電線の長手方向において間隔を空けて並ぶ３つ以上のかしめ部がかしめられることにより圧着される。即ち、本発明における圧着端子の被覆圧着部は、従来の端子付電線における被覆圧着部と比べ、絶縁被覆に対してかしめられたかしめ部の数が多く、かしめ部のエッジ部分がより長く形成される。そのため、本発明における圧着端子の被覆圧着部は、電線に加わる応力、特に、電線に対してその長手方向に加わる引っ張り応力に対し、電線の絶縁被覆をより強固に保持する。従って、本発明が採用された場合、圧着端子の部分が固定された状態で電線に対して引っ張り応力又は曲げ応力が繰り返し加わった場合においても、圧着端子の被覆圧着部は、電線の絶縁被覆から外れにくい。
【図面の簡単な説明】
【００１２】
【図１】本発明の第１実施形態に係る端子付電線１の主要部の側面図である。
【図２】端子付電線の主要部の平面図である。
【図３】本発明の第１実施形態に係る圧着端子１０の斜視図である。
【図４】本発明の第２実施形態に係る端子付電線１Ａの主要部の側面図である。
【図５】端子付電線１Ａの主要部の平面図である。
【発明を実施するための形態】
【００１３】
以下、添付の図面を参照しながら、本発明の実施形態について説明する。以下の実施形態は、本発明を具体化した一例であり、本発明の技術的範囲を限定する事例ではない。
【００１４】
＜第１実施形態＞
まず、図１から図３を参照しつつ、本発明の第１実施形態に係る端子付電線１及び本発明の第１実施形態に係る圧着端子１０の構成について説明する。端子付電線１は、電線９とその端部に取り付けられた圧着端子１０とを備える。なお、図１における破線は、隠れ線である。
【００１５】
＜電線＞
図１及び図２に示されるように、圧着端子１０が取り付けられる対象となる電線９は、長尺な導体である芯線と、その芯線の周囲を覆う絶縁体である絶縁被覆とを有する。圧着端子１０が取り付けられる電線９の端部は、予め一定の長さの分の芯線の周囲から絶縁被覆が剥がれた状態、即ち、一定の長さ分の芯線が絶縁被覆から伸び出た状態に加工されている。
【００１６】
以下、電線９の端部において、絶縁被覆の端から伸び出た芯線を裸芯線９１と称する。また、電線９の絶縁被覆における端部の一定の範囲（数ミリメートルから十数ミリメートル程度の長さの範囲）の部分を被覆端部９２と称する。
【００１７】
端子付電線１において、電線９の芯線は、例えば、銅又はアルミニウムを主成分とする金属の線材である。
【００１８】
＜圧着端子＞
図３に示されるように、圧着端子１０は、直線方向に沿って一列に並んで形成された、被覆圧着部２０、第一連結部３０、芯線圧着部４０、第二連結部５０及びコンタクト部６０を有している。
【００１９】
以下、圧着端子１０における被覆圧着部２０から芯線圧着部４０及びコンタクト部６０へ向かう直線方向を延伸方向と称する。延伸方向は、圧着端子１０が取り付けられる電線９の長手方向でもある。各図に示される座標軸のＸ軸方向が延伸方向である。
【００２０】
圧着端子１０は、銅もしくは黄銅などの銅合金の部材、又はそれらの部材に錫（Ｓｎ）メッキもしくは錫に銀（Ａｇ）、銅（Ｃｕ）、ビスマス（Ｂｉ）などが添加された錫合金のメッキが施された導体の部材である。
【００２１】
＜圧着端子：被覆圧着部＞
被覆圧着部２０は、曲がって形成された板状の部分であり、電線９に圧着される前の状態において、電線９の被覆端部９２が挿入される溝を形成している。即ち、被覆圧着部２０は、被覆圧着部２０が形成する溝の内側に挿入された被覆端部９２に対して圧着される。被覆圧着部２０の内側面は、電線９の被覆端部９２に対向する面である。
【００２２】
被覆圧着部２０は、第一底板部２１と、対向する２つの起立部２２，２３とを有する。第一底板部２１は、圧着端子１０が取り付けられる対象の電線９における被覆端部９２を一の方向から支える部分である。また、２つの起立部２２，２３は、第一底板部２１から起立して形成された部分である。以下、対向する２つの起立部２２，２３のうちの一方を右側起立部２２，他方を左側起立部２３と称する。
【００２３】
右側起立部２２は、第一底板部２１に連なる根元部に近い部分から３つに分岐して形成され、分岐部から先端側の３つの部分は、延伸方向において間隔を空けて並んで形成されている。同様に、左側起立部２３も、第一底板部２１に連なる根元部に近い部分から３つに分岐して形成され、分岐部から先端側の３つの部分は、延伸方向において間隔を空けて並んで形成されている。
【００２４】
また、右側起立部２２における先端側の一部の範囲を占める部分は、第一底板部２１に対向する向きへ折り曲げられるかしめ部２２０である。同様に、左側起立部２３における先端側の一部の範囲を占める部分も、第一底板部２１に対向する向きへ折り曲げられるかしめ部２３０である。
【００２５】
右側起立部２２は、延伸方向において３つに分岐して形成されているため、右側起立部２２には、延伸方向において間隔を空けて並ぶ３つのかしめ部２２１，２２２，２２３が形成されている。以下、右側起立部２２における３つのかしめ部２２１，２２２，２２３各々のことを、芯線圧着部４０に対して反対側から順に、第一右側かしめ部２２１，第二右側かしめ部２２２及び第三右側かしめ部２２３と称する。
【００２６】
同様に、左側起立部２３も、延伸方向において３つに分岐して形成されているため、左側起立部２３には、延伸方向において間隔を空けて並ぶ３つのかしめ部２３１，２３２，２３３が形成されている。以下、左側起立部２３における３つのかしめ部２３１，２３２，２３３各々のことを、芯線圧着部４０に対して反対側から順に、第一左側かしめ部２３１，第二左側かしめ部２３２及び第三左側かしめ部２３３と称する。
【００２７】
図１及び図２に示されるように、相互に対向する３対のかしめ部のうち、第一右側かしめ部２２１、第二左側かしめ部２３２及び第三右側かしめ部２２３は、第一底板部２１に対向する向きへ折り曲げられて被覆端部９２にかしめられる。即ち、２つの起立部２２，２３における先端側の一部の範囲を占める部分に、溝の内側へ曲げられることによって第一底板部２１に対向する状態で延伸方向において間隔を空けて並ぶ３つのかしめ部２２１，２３２，２２３が形成されている。なお、ここで言う溝は、被覆端部９２に圧着される前の被覆圧着部２０が形成する溝を意味する。
【００２８】
一方、第一左側かしめ部２３１，第二右側かしめ部２２２及び第三左側かしめ部２３３は、図１及び図２に示されるように、第一底板部２１に対向する向きへ折り曲げられて、第一右側かしめ部２２１，第二左側かしめ部２３２及び第三右側かしめ部２２３各々に対し、それらの外側に重ねられてかしめられる。即ち、圧着端子１０の被覆圧着部２０は、いわゆるオーバーラップタイプの圧着部である。
【００２９】
また、２つの起立部２２，２３各々におけるかしめ部２２０，２３０以外の部分は、被覆端部９２に対して両側方から対向する側壁部となる。右側起立部２２における側壁部は、第一底板部２１及びかしめ部２２０に連なり、それらを繋ぐ部分である。左側起立部２３における側壁部は、第一底板部２１及びかしめ部２３０に連なり、それらを繋ぐ部分である。被覆圧着部２０が被覆端部９２に圧着された場合、第一底板部２１の内側面と、右側起立部２２における側壁部及びかしめ部２２０の内側面と、左側起立部２３における側壁部とが、被覆端部９２に接触する。
【００３０】
図３に示される例では、第一底板部２１及び２つの起立部２２，２３は、いずれも平板状であるが、これらは、湾曲した周面を形成する被覆端部９２の外形に沿うように、湾曲した板状である場合もある。以下、延伸方向（Ｘ軸方向）に直交し、２つの起立部２２，２３が対向する方向を幅方向と称する。さらに、延伸方向及び幅方向に直交する方向を高さ方向と称する。２つの起立部２２，２３は、第一底板部２１から高さ方向へ起立して形成されている。各図に示される座標軸のＹ軸方向及びＺ軸方向が、それぞれ幅方向及び高さ方向である。従って、第一底板部２１は、電線９における被覆端部９２を高さ方向における一方の側から、即ち、Ｚ軸の負方向から支える。
【００３１】
＜圧着端子：芯線圧着部＞
芯線圧着部４０は、曲がって形成された板状の部分であり、電線９に圧着される前の状態において、電線９の裸芯線９１が挿入される溝を形成している。即ち、芯線圧着部４０は、芯線圧着部４０が形成する溝の内側に挿入された裸芯線９１に対して圧着される。芯線圧着部４０の内側面は、電線９の裸芯線９１に対向する面である。
【００３２】
芯線圧着部４０は、第二底板部４１と、対向する２つの起立部４２，４３とを有する。第二底板部４１は、圧着端子１０が取り付けられる対象の電線９における裸芯線９１を高さ方向の一方の側から、即ち、Ｚ軸の負方向から支える部分である。また、２つの起立部４２，４３は、第二底板部４１から起立して形成された部分である。芯線圧着部４０における２つの起立部４２，４３も、高さ方向に起立し、幅方向において対向して形成されている。
【００３３】
一方の起立部４２における先端側の一部の範囲を占める部分は、第二底板部４１に対向する向きへ折り曲げられて裸芯線９１にかしめられるかしめ部４２０である。同様に、他方の起立部４３における先端側の一部の範囲を占める部分も、第二底板部４１に対向する向きへ折り曲げられて裸芯線９１にかしめられるかしめ部４３０である。
【００３４】
芯線圧着部４０が裸芯線９１に圧着された場合、第二底板部４１の内側面と、２つの起立部４２，４３各々の内側面とが、裸芯線９１に接触する。
【００３５】
図１から図３に示される例では、第二底板部４１及び起立部４２，４３は、いずれも平板状であるが、これらは、湾曲した板状である場合もある。
【００３６】
圧着端子１０は、不図示の端子圧着装置により電線９の端部に圧着される。端子圧着装置は、電線９及び圧着端子１０を支持するアンビルと、圧着端子１０における被覆圧着部２０及び芯線圧着部４０各々のかしめ部２２０，２３０，４２０，４３０を内側へ折り曲げてかしめるクリンパとを備える。アンビル及びクリンパは、支持機構により、相互に対向する状態で接近すること及び離隔することが可能に支持されている。
【００３７】
アンビル及びクリンパの一方又は両方が、それらが接近する方向へ移動することにより、圧着端子１０は、アンビルとクリンパとの間で押しつぶされつつ被覆端部９２及び裸芯線９１に圧着される。その際、被覆圧着部２０の第一右側かしめ部２２１，第二左側かしめ部２３２及び第三右側かしめ部２２３は、クリンパにおける湾曲した成形面に沿って第一底板部２１に対向する向きへ曲がり、被覆端部９２へかしめられる。また、被覆圧着部２０の第一左側かしめ部２３１、第二右側かしめ部２２２及び第三左側かしめ部２３１は、クリンパにおける湾曲した成形面に沿って第一底板部２１に対向する向きへ曲がり、第一右側かしめ部２２１，第二左側かしめ部２３２及び第三右側かしめ部２２３の外側へかしめられる。また、芯線圧着部４０のかしめ部４２０，４３０は、クリンパの成形面に沿って第二底板部４１に対向する向きへ曲がり、裸芯線９１にかしめられる。
【００３８】
＜圧着端子：第一連結部、第二連結部＞
第一連結部３０は、被覆圧着部２０と芯線圧着部４０とを繋ぐ部分である。また、第二連結部５０は、芯線圧着部４０とコンタクト部６０とを繋ぐ部分である。
【００３９】
＜圧着端子：コンタクト部＞
コンタクト部６０は、圧着端子１０の接続相手となる不図示の相手側端子と嵌り合うことによって相手側端子と直接接触し、相手側端子に接続される部分（端子接続部）である。図１及び図６に示されるコンタクト部６０は、相手側端子が嵌め入れられる孔である端子挿入孔６１が形成された筒状の部分である。なお、コンタクト部６０が、相手側端子の端子挿入孔に嵌め入れられる棒状の導体である場合もある。
【００４０】
＜端子付電線＞
図１及び図２に示されるように、端子付電線１において、電線９に圧着された圧着端子１０は、電線９の被覆端部９２に圧着された被覆圧着部２０、及び電線９の裸芯線９１に圧着された芯線圧着部４０を有する。
【００４１】
さらに、端子付電線１において、圧着端子１０の被覆圧着部２０は、被覆端部９２を一方から支える第一底板部２１と、第一底板部２１に対向する状態で被覆端部９２に対してかしめられた３つのかしめ部２２１，２３２，２２３とを有する。３つのかしめ部２２１，２３２，２２３は、第一底板部２１に対向する状態で、延伸方向において間隔を空けて並んで形成されている。即ち、圧着端子１０における２つの起立部２２，２３は、端子圧着装置によって曲げ成形されることにより、第一底板部２１から第一底板部２１に対向する３つのかしめ部２２１，２３２，２２３まで、被覆端部９２の表面に沿って伸びて形成された部分となる。
【００４２】
以上に示した構成を備えた端子付電線１において、圧着端子１０の被覆圧着部２０は、柔軟性を有する被覆端部９２に対し、延伸方向において間隔を空けて並ぶ３つのかしめ部２２１，２３２，２２３がかしめられることにより圧着される。
【００４３】
前述したように、圧着端子１０の被覆圧着部２０において、被覆端部９２に対してかしめられたかしめ部のエッジ部分が、主として被覆端部９２に対する滑りを抑制する機能を果たす。そして、端子付電線１における圧着端子１０の被覆圧着部２０は、従来の端子付電線における被覆圧着部と比べ、被覆端部９２に対してかしめられたかしめ部の数が多く、かしめ部のエッジ部分がより長く形成される。
【００４４】
従って、端子付電線１における圧着端子１０の被覆圧着部２０は、電線９に加わる応力、特に、電線０に対してその長手方向に加わる引っ張り応力に対し、被覆端部９２をより強固に保持する。そのため、端子付電線１において、圧着端子１０の部分が固定された状態で電線９に対して引っ張り応力又は曲げ応力が繰り返し加わった場合においても、圧着端子１０の被覆圧着部２０は、被覆端部９２から外れにくい。
【００４５】
＜第２実施形態＞
次に、図４及び図５を参照しつつ、本発明の第２実施形態に係る圧着端子１０Ａ及び本発明の第２実施形態に係る端子付電線１Ａの構成について説明する。端子付電線１Ａは、電線９とその端部に取り付けられた圧着端子１０Ａとを備える。なお、図４及び図５は、端子付電線１Ａにおける主要部の側面図及び平面図である。また、図４における波線は、隠れ線である。
【００４６】
圧着端子１０Ａ及び端子付電線１Ａは、図１から図３に示された圧着端子１０及び端子付電線１と比較して、被覆圧着部２０におけるかしめ部の数及びタイプのみが異なる。図４及び図５において、図１から図３に示される構成要素と同じ構成要素は、同じ参照符号が付されている。以下、圧着端子１０Ａ及び端子付電線１Ａにおける圧着端子１０及び端子付電線１と異なる点についてのみ説明する。
【００４７】
図４及び図４に示されるように、圧着端子１０Ａの被覆圧着部２０には、延伸方向（Ｘ軸方向）において間隔を空けて並んで形成された４つのかしめ部２２１，２２２，２３１，２３２が形成されている。これら４つのかしめ部２２１，２２２，２３１，２３２は、第一底板部２１に対向する状態で被覆端部９２に対してかしめられている。
【００４８】
即ち、右側起立部２２は、第一底板部２１に連なる根元部に近い部分から２つに分岐して形成され、分岐部から先端側の２つの部分は、延伸方向において間隔を空けて並んで形成されている。同様に、左側起立部２３も、第一底板部２１に連なる根元部に近い部分から２つに分岐して形成され、分岐部から先端側の２つの部分は、延伸方向において間隔を空けて並んで形成されている。
【００４９】
そして、右側起立部２２における先端側の一部の範囲を占める部分は、第一底板部２１に対向する向きへ折り曲げられて被覆端部９２にかしめられるかしめ部２２０である。同様に、左側起立部２３における先端側の一部の範囲を占める部分も、第一底板部２１に対向する向きへ折り曲げられて被覆端部９２にかしめられるかしめ部２３０である。
【００５０】
右側起立部２２は、延伸方向において２つに分岐して形成されているため、右側起立部２２には、２つのかしめ部２２１，２２２が形成されている。同様に、左側起立部２３も、延伸方向において２つに分岐して形成されているため、左側起立部２３には、２つのかしめ部２３１，２３２が形成されている。
【００５１】
これら４つのかしめ部２２１，２３１，２３２，２３２は延伸方向において間隔を空けて並んで形成されている。図４及び図５に示される例では、以下、４つのかしめ部２２１，２３１，２３２，２３２各々のことを、芯線圧着部４０に対して反対側から順に、第一右側かしめ部２２１、第一左側かしめ部２３２、第二右側かしめ部２２２及び第二左側かしめ部２３２と称する。
【００５２】
図４及び図５に示されるように、４つのかしめ部２２１，２３１，２３２，２３２は、第一底板部２１に対向する向きへ折り曲げられて被覆端部９２にかしめられる。即ち、２つの起立部２２，２３における先端側の一部の範囲を占める部分に、溝の内側へ曲げられることによって第一底板部２１に対向する状態で延伸方向において間隔を空けて並ぶ３つのかしめ部２２１，２３２，２２３が形成されている。即ち、圧着端子１０Ａの被覆圧着部２０は、対向する２つの起立部２２，２３各々におけるかしめ部２２０，２３０が重ならないタイプの圧着部である。なお、ここで言う溝は、被覆端部９２に圧着される前の被覆圧着部２０が形成する溝を意味する。
【００５３】
端子付電線１Ａにおける圧着端子１０Ａの被覆圧着部２０も、端子付電線１におけるそれと同様に、従来の端子付電線における被覆圧着部と比べ、被覆端部９２に対してかしめられたかしめ部の数が多く、かしめ部のエッジ部分がより長く形成される。従って、端子付電線１Ａが採用されることにより、端子付電線１が採用された場合と同様の効果が得られる。
【００５４】
＜その他＞
第１実施形態の圧着端子１０において、被覆圧着部２０は、対向する２つの起立部２２，２３のかしめ部２２０，２３０が重なる状態でかしめられるオーバーラップタイプである。しかしながら、圧着端子１０の被覆圧着部２０は、図７に示される芯線圧着部４０と同様に、又は図４及び図５に示される圧着端子１０Ａの被覆圧着部２０と同様に、２つの起立部２２，２３のかしめ部２２０，２３０が重ならない状態で被覆端部９２に対してかしめられるタイプであってもよい。
【００５５】
また、第１実施形態の圧着端子１０において、右側起立部２２における２つのかしめ部２２１，２２３と左側起立部２３における１つのかしめ部２３２が、被覆端部９２に対してかしめられた。しかしながら、右側起立部２２における３つのかしめ部２２１，２２２，２２３が、被覆端部９２に対してかしめられ、左側起立部２３における３つのかしめぶ２３１，２３２，２３３が、右側起立部２２における３つのかしめ部２２１，２２２，２２３各々の外側へかしめられることも考えられる。或いは、左側起立部２３における３つのかしめ部２３１，２３２，２３３が、被覆端部９２に対してかしめられ、右側起立部２２における３つのかしめぶ２２１，２２２，２２３が、左側起立部２３における３つのかしめ部２３１，２３２，２３３各々の外側へかしめられることも考えられる。
【００５６】
また、第２実施形態の圧着端子１０Ａにおいて、被覆圧着部２０は、対向する２つの起立部２２，２３のかしめ部２２０，２３０が重ならない状態でかしめられるタイプである。しかしながら、圧着端子１０Ａの被覆圧着部２０は、図１から図３に示される圧着端子１０の被覆圧着部２０と同様に、２つの起立部２２，２３のかしめ部２２０，２３０が重なる状態で被覆端部９２に対してかしめられるオーバーラップタイプであってもよい。この場合、２つの起立部２２，２３には、相互に対向する４対のかしめ部が設けられる。
【００５７】
また、各実施形態の圧着端子１０，１０Ａの被覆圧着部２０において、被覆端部９２に直接かしめられるかしめ部２２０は３つ又は４つである。しかしながら、被覆圧着部２０が、被覆端部９２にかしめられる部分として、延伸方向において並ぶ５つ以上のかしめ部を有することも考えられる。但し、かしめ部の数が多すぎると、被覆圧着部２０が長くなり過ぎる。そのため、被覆圧着部２０の長さに特に制約がない場合を除き、被覆端部９２に圧着されるかしめ部は、３つ又は４つであることが現実的である。
【符号の説明】
【００５８】
１，１Ａ  端子付電線
９  電線
１０，１０Ａ  圧着端子
２０  被覆圧着部
２１  第一底板部
２２  被覆圧着部の起立部（右側起立部）
２３  被覆圧着部の起立部（左側起立部）
３０  第一連結部
４０  芯線圧着部
４１  第二底板部
４２，４３  芯線圧着部の起立部
５０  第二連結部
６０  コンタクト部
６１  端子挿入孔
９１  裸芯線（芯線）
９２  被覆端部（絶縁被覆）
２２０，２３０  被覆圧着部のかしめ部
２２１  第一右側かしめ部
２２２  第二右側かしめ部
２２３  第三右側かしめ部
２３１  第一左側かしめ部
２３２  第二左側かしめ部
２３３  第三左側かしめ部
４２０，４３０  芯線圧着部のかしめ部
【図１】
2012119186.tif 000003
【図２】
2012119186.tif 000004
【図３】
2012119186.tif 000005
【図４】
2012119186.tif 000006
【図５】
2012119186.tif 000007